(57)【要約】【課題】  フレキシブルプリント配線基板（ＦＰＣ）の配線パターンの一部を切断するために、切除部を設けた場合でも、切除部に露出した複数の導電露出部が互いに短絡することを抑制したＦＰＣを提供すること。【解決手段】  配線パターンＥＷが形成されたＦＰＣであって、該配線パターンの一部を切断するために設けられた切除部２を有し、該切除部が特定の方向（ＦＬ１，ＦＬ２）で折り曲がり易い形状であり、該特定の方向で折り曲げた際に、該切除部に露出した該配線パターンの複数の導体露出部（ＥＯ１，ＥＯ２）が、互いに接触しないように該特定の方向（ＦＬ１，ＦＬ２）が設定されていることを特徴とする。【選択図】図２
2013145777.tif 000002
【特許請求の範囲】
【請求項１】
配線パターンが形成されたフレキシブルプリント配線基板であって、
該配線パターンの一部を切断するために設けられた切除部を有し、
該切除部が特定の方向で折り曲がり易い形状であり、
該特定の方向で折り曲げた際に、該切除部に露出した該配線パターンの複数の導体露出部が、互いに接触しないように該特定の方向が設定されていることを特徴とするフレキシブルプリント配線基板。
【請求項２】
請求項１に記載のフレキシブルプリント配線基板において、該切除部は、貫通孔又は切り込みであることを特徴とするフレキシブルプリント配線基板。
【請求項３】
請求項１又は２に記載のフレキシブルプリント配線基板において、該切除部で一部を切断される配線パターンは、フレキシブルプリント配線基板の端面に引き出すメッキリード線に接続される配線であることを特徴とするフレキシブルプリント配線基板。
【請求項４】
請求項１乃至３のいずれかに記載のフレキシブルプリント配線基板において、該配線パターンは、表示装置の表示パネルに駆動用信号を供給する配線であることを特徴とするフレキシブルプリント配線基板。
【請求項５】
請求項１に記載のフレキシブルプリント配線基板において、前記切除部の長軸は前記配線の延長線と交差して配置されていることを特徴とするフレキシブルプリント基板。
【発明の詳細な説明】
【技術分野】
【０００１】
本発明はフレキシブルプリント配線基板に関し、特に、配線パターンの一部を切断するために設けられた切除部を有するフレキシブルプリント配線基板に関する。
【背景技術】
【０００２】
携帯電話、携帯情報端末（ＰＤＡ）、デジタルカメラ、マルチメディアプレーヤーなど、多くの携帯型の情報機器の表示装置に液晶モジュール（液晶表示装置）、有機エレクトロルミネッセンス表示装置などの各種表示装置が利用されている。
【０００３】
これらの表示装置の表示パネルには、表示パネルを駆動する駆動用信号を供給するためのフレキシブルプリント配線基板（Flexible Printed Circuit。以下、「ＦＰＣ」という。）が接続されている。例えば、液晶モジュール用ＦＰＣにおいて、電解メッキを使用する場合、ＦＰＣ端面にメッキリード線を引き出す必要がある。
【０００４】
ここで、ＦＰＣ端面のメッキリード線は、通常、液晶表示パネル（ＬＣＤ）圧着部等の隠れた箇所に設けるが、片面ＦＰＣ等でメッキリード線の引き出し位置に制限があり、また、隠れた箇所に設けることができない場合には、再外形部に引き出したり、特許文献１に示すように、隣接する端子に接続した後に孔を空けて配線をオープンにしている。
【０００５】
図１は、隣接する端子を接続した配線ＥＷを有するＦＰＣを示している。電解メッキが終了した後、孔１を空けることで、配線の一部（点線部分）を除去し、端子間の接続をオープンにしている。ところで、液晶モジュール等の表示装置を組み立てる際に、表示パネルに取り付けられたＦＰＣを折り曲げる場合がある。孔１を形成した部分には、配線ＥＷであるメッキリード線の一部が露出した導体露出部（ＥＯ１，ＥＯ２）があり、ＦＰＣを折り曲げる際に、複数の導体露出部が互いに接触し短絡する危険性がある。
【０００６】
図１のような円形の孔の場合には、任意の方向にＦＰＣが折れ曲げることができ、例えば、特定の方向の折り曲げ線ＦＬで、ＦＰＣを折り曲げた際には、導体露出部ＥＯ１とＥＯ２とが互いに接触することとなる。
【先行技術文献】
【特許文献】
【０００７】
【特許文献１】特開２００７−２９４６５３号公報
【発明の概要】
【発明が解決しようとする課題】
【０００８】
本発明の解決しようとする課題は、上述した問題を解消し、フレキシブルプリント配線基板の配線パターンの一部を切断するために、切除部を設けた場合でも、切除部に露出した複数の導電露出部が互いに短絡することを抑制したフレキシブルプリント配線基板を提供することである。
【課題を解決するための手段】
【０００９】
本発明のフレキシブルプリント配線基板は、上述の課題を解決するため以下のような特徴的構成を有している。
（１）  配線パターンが形成されたフレキシブルプリント配線基板であって、該配線パターンの一部を切断するために設けられた切除部を有し、該切除部が特定の方向で折り曲がり易い形状であり、該特定の方向で折り曲げた際に、該切除部に露出した該配線パターンの複数の導体露出部が、互いに接触しないように該特定の方向が設定されていることを特徴とする。
【００１０】
（２）  上記（１）に記載のフレキシブルプリント配線基板において、該切除部は、貫通孔又は切り込みであることを特徴とする。
【００１１】
（３）  上記（１）又は（２）に記載のフレキシブルプリント配線基板において、該切除部で一部を切断される配線パターンは、フレキシブルプリント配線基板の端面に引き出すメッキリード線に接続される配線であることを特徴とする。
【００１２】
（４）  上記（１）乃至（３）のいずれかに記載のフレキシブルプリント配線基板において、該配線パターンは、表示装置の表示パネルに駆動用信号を供給する配線であることを特徴とする。
【００１３】
（５）  上記（１）に記載のフレキシブルプリント配線基板において、前記切除部の長軸は前記配線の延長線と交差して配置されていることを特徴とする。
【発明の効果】
【００１４】
本発明のように、フレキシブルプリント配線基板の切除部が、特定の方向で折り曲がり易い形状であるため、当該特定の方向を適切に設定することで、フレキシブルプリント配線基板を折り曲げた際でも、複数の導体露出部が互いに接触することを抑制することが可能となる。
【図面の簡単な説明】
【００１５】
【図１】フレキシブルプリント配線基板に設ける切除部を円形の孔とした場合の従来例を説明する図である。
【図２】本発明のフレキシブルプリント配線基板で、貫通孔の切除部の一例を説明する図である。
【図３】本発明のフレキシブルプリント配線基板で、貫通孔の切除部の他の例を説明する図である。
【図４】本発明のフレキシブルプリント配線基板で、切り込みの切除部の例を説明する図である。
【発明を実施するための形態】
【００１６】
本発明に係るフレキシブルプリント配線基板について、以下に詳細に説明する。
本発明は、図２に示すように、配線パターンＥＷが形成されたフレキシブルプリント配線基板ＦＰＣであって、該配線パターンの一部を切断するために設けられた切除部２を有し、該切除部が特定の方向（ＦＬ１，ＦＬ２）で折り曲がり易い形状であり、該特定の方向で折り曲げた際に、該切除部に露出した該配線パターンの複数の導体露出部（ＥＯ１，ＥＯ２）が、互いに接触しないように該特定の方向（ＦＬ１，ＦＬ２）が設定されていることを特徴とする。
【００１７】
切除部としては、図２及び図３に示すように、ＦＰＣを貫通する貫通孔（２，３）や、図４に示すような切り込み４で構成することが可能である。
【００１８】
また、フレキシブルプリント配線基板の中でも、ＦＰＣ端面にメッキリード線を引き出すＦＰＣのように、隣接する端子の接続をオープンにするため切除部を設ける必要がある場合には、切除部に露出した導体露出部の短絡を避けるため、本発明の構成を適用することが好ましい。
【００１９】
さらに、表示装置の表示パネルに駆動用信号を供給するためのＦＰＣの場合には、表示装置の組み立ての際にＦＰＣを折り曲げることが多いため、本発明の構成を適用することがより好ましい。
【００２０】
本発明に適用される切除部は、特定の方向で折り曲がり易い形状にすることが必要である。このためには、折り曲げる線（「特定の方向」に一致する）に沿った直線部を有する形状とすることが必要である。例えば、直線部を有する長方形の貫通孔や切り込みがあると、ＦＰＣは、直線部の延在する方向を折り曲げ線として折り曲げ易くなる。
【００２１】
図２の実施例では、切除部２を二つの直線部の合成として形成している。つまり、第１の折り曲げ線ＦＬ１に沿った長方形と、第２の折り曲げ線ＦＬ２に沿った長方形が合わさって、一つの切除部２を形成している。
【００２２】
図３の実施例では、切除部３を３つの直線部の合成として形成している。つまり、３つの折り曲げ線ＦＬ１〜ＦＬ３の各々に沿った長方形が合わさって、一つの切除部３を構成している。
【００２３】
直線部の数は、１つであっても良いし、図２又は図３のように２つ以上設けても良い。直線部を有する切除部は、当該直線部の長手方向を折り曲げ線とする折り曲げに対して、ＦＰＣを折り曲げ易く構成することが可能となる。
【００２４】
図４は、切除部３を切り込みで形成しており、折り曲げ線ＦＬに沿った直線部を有している。図４に記載のＦＰＣは折り曲げ線ＦＬと切除部の長軸が一致している。図２乃至図４において、各折り曲げ線でＦＰＣを折り曲げた場合でも、切除部に露出した導体露出部ＥＯ１及びＥＯ２は、互いに接触することはない。以上の実施例では、導体露出部が２つの場合を説明したが、当然、３つ以上存在する場合であっても本発明の構成が適用できることは言うまでもない。さらに、本発明では、切除部の形状のみで導体露出部の接触を防止することができるため、短絡防止用のテープを別途張り付けるなどの作業も不要となる。
【００２５】
図４において、第１の導体露出部ＥＯ１と第２の導体露出部ＥＯ２とをつなぐ仮想線は配線ＥＷが延長される線と一致する。この場合、切除部４の長軸は、第１の導体露出部ＥＯ１と第２の導体露出部ＥＯ２とをつなぐ線に対し交差するように配置する。また、第１の導体露出部ＥＯ１と第２の導体露出部ＥＯ２とをつなぐ線と切除部４の長軸とは０度より大きく９０度より小さい角度で交差する。特に、交差する線の鋭角が３０度から６０度であれば第１の導体露出部ＥＯ１と第２の導体露出部ＥＯ２の接触を確実に低減できる。
【産業上の利用可能性】
【００２６】
以上のように、本発明によれば、フレキシブルプリント配線基板の配線パターンの一部を切断するために、切除部を設けた場合でも、切除部に露出した複数の導電露出部が互いに短絡することを抑制したフレキシブルプリント配線基板を提供することが可能となる。
【符号の説明】
【００２７】
ＦＰＣ  フレキシブルプリント配線基板
ＥＯ１，ＥＯ２  導体露出部
ＥＷ  配線
ＦＬ，ＦＬ１〜３  折り曲げ線（特定の方向）
１〜４  切除部
【図１】
2013145777.tif 000003
【図２】
2013145777.tif 000004
【図３】
2013145777.tif 000005
【図４】
2013145777.tif 000006